(57)【要約】【課題】空気調和機において、ファン効率の低下を抑制しつつ静音化を図ること。【解決手段】空気調和機の室内ユニットは、室内空気の送風を行なう貫流ファンと、この貫流ファンで通風される室内空気と熱交換を行なう熱交換器とを備える。貫流ファンの各羽根８ｂは、当該各羽根８ｂにおける圧力面８ａと負圧面８ｂとの圧力差に基づいて、当該各羽根８ｂの外径側または内径側の端部が軸方向で異なる形状に変形するように構成されている。【選択図】図８
2008157568.tif 000002
【特許請求の範囲】
【請求項１】
室内空気の送風を行なう貫流ファンと、この貫流ファンで通風される室内空気と熱交換を行なう熱交換器とを室内ユニットに備えた空気調和機において、
前記貫流ファンの各羽根は、当該各羽根における圧力面と負圧面との圧力差に基づいて、当該各羽根の外径側または内径側の端部が軸方向で異なる形状に変形するように構成されていることを特徴とする空気調和機。
【請求項２】
請求項１において、前記貫流ファンの各羽根は、室内空気の送風における循環渦の発生領域で、前記軸方向への変形が生ずるように構成されていることを特徴とする空気調和機。
【請求項３】
請求項１において、前記貫流ファンの各羽根は、高風量で高回転数の運転領域で、前記軸方向への変形が生ずるように構成されていることを特徴とする空気調和機。
【請求項４】
請求項１において、前記貫流ファンの各羽根は、当該各羽根における圧力面と負圧面との圧力差に応じて、前記軸方向への変形量が変化するように構成されていることを特徴とする空気調和機。
【請求項５】
請求項１において、前記貫流ファンの各羽根は、弾性率の高い領域と低い領域とで構成し、当該羽根の外径側または内径側の弾性率の低い領域で前記軸方向への変形が生ずるように形成されていることを特徴とする空気調和機。
【請求項６】
請求項５において、前記貫流ファンの各羽根は当該羽根の外径側または内径側を部分的に弾性率の低い領域として前記軸方向への変形が生ずるように構成されていることを特徴とする空気調和機。
【請求項７】
請求項１において、前記貫流ファンの各羽根は当該羽根の外径側または内径側を部分的に薄肉化して前記軸方向への変形が生ずるように構成されていることを特徴とする空気調和機。
【発明の詳細な説明】
【技術分野】
【０００１】
本発明は、空気調和機に係り、特に貫流ファンを送風機として室内ユニットに用いている空気調和機に関するものである。
【背景技術】
【０００２】
従来の空気調和機に用いられる貫流ファンとして、特開昭６３−１２４８９９号公報（特許文献１）に示されたものがある。この貫流ファンは、当該貫流ファンの羽根外径側または羽根内径側をコルゲート形状とし、羽根を通過する流体の風速分布を分散することで静音化を行なっている。
【０００３】
【特許文献１】特開昭６３−１２４８９９号公報
【発明の開示】
【発明が解決しようとする課題】
【０００４】
しかし、特許文献１では、羽根形状が常にコルゲート形状となっているため、どのような送風状態においても流体は複雑に分散されて流れていく。その結果、送風機の効率は全体的に低下する傾向が表れてしまう。
【０００５】
本発明の目的は、ファン効率の低下を抑制しつつ静音化を図ることが可能な空気調和機を提供することにある。
【課題を解決するための手段】
【０００６】
前述の目的を達成するために、本発明は、室内空気の送風を行なう貫流ファンと、この貫流ファンで通風される室内空気と熱交換を行なう熱交換器とを室内ユニットに備えた空気調和機において、前記貫流ファンの各羽根は、当該各羽根における圧力面と負圧面との圧力差に基づいて、当該各羽根の外径側または内径側の端部が軸方向で異なる形状に変形するように構成されているものである。
【０００７】
係る本発明のより好ましい具体的な構成例は次の通りである。
（１）前記貫流ファンの各羽根は、室内空気の送風における循環渦の発生領域で、前記軸方向への変形が生ずるように構成されていること。
（２）前記貫流ファンの各羽根は、高風量で高回転数の運転領域で、前記軸方向への変形が生ずるように構成されていること。
（３）前記貫流ファンの各羽根は、当該各羽根における圧力面と負圧面との圧力差に応じて、前記軸方向への変形量が変化するように構成されていること。
（４）前記貫流ファンの各羽根は、弾性率の高い領域と低い領域とで構成し、当該羽根の外径側または内径側の弾性率の低い領域で前記軸方向への変形が生ずるように形成されていること。
（５）前記貫流ファンの各羽根は当該羽根の外径側または内径側を部分的に弾性率の低い領域として前記軸方向への変形が生ずるように構成されていること。
（６）前記貫流ファンの各羽根は当該羽根の外径側または内径側を部分的に薄肉化して前記軸方向への変形が生ずるように構成されていること。
【発明の効果】
【０００８】
かかる本発明によれば、ファン効率の低下を抑制しつつ静音化を図ることが可能な空気調和機を提供することができる。
【発明を実施するための最良の形態】
【０００９】
以下、本発明の複数の実施形態について図を用いて説明する。各実施形態の図における同一符号は同一物または相当物を示す。なお、本発明は、それぞれの実施形態を必要に応じて適宜に組み合わせることにより、さらに効果的なものとすることを含む。
（第１実施形態）
本発明の第１実施形態の空気調和機を図１から図８を用いて説明する。本実施形態は、空気調和機の一例として、熱交換を行なう熱交換器と、送風を行なう貫流ファンとを室内ユニットに備えたセパレート型の空気調和機に適用したものである。
【００１０】
まず、本実施形態の空気調和機の全体概要を図１及び図２を参照しながら説明する。図１は本実施形態の空気調和機の室内ユニット２０の概略構造を示す正面図、図２は図１の室内ユニット２０を中央部で断面した側面図である。なお、図１では、正面側から内部が表せるように各部を破断して図示してある。
【００１１】
室内ユニット２０において、前面側には前面パネル１が設置されており、上面側には空気吸込み口を構成する上面グリル２が設置されている。前面パネル１の上部はユニット枠３に回動可能に取付けられており、前面パネル１は上部を支点にして下部から開閉できるようになっている。また、それとは別に、前面パネル１は、空気調和機の運転中に、下部を支点にして上部が開口して室内空気の吸い込み口を拡大できるようになっている。前面パネル１は、上部をユニット枠３から取外すことで、脱着できるようになっている。上面グリル２もユニット枠３に取付けられており、脱着可能となっている。
【００１２】
室内ユニット２０の下面側の空気吹出口１７には横風向板１１が設置されており、この横風向板１１はケーシング９に取付けられている。室内ユニット２０の空気吹出口１７は、横風向板１１が回転することで開閉されるようになっている。室内ユニット２０としては、以上の前面パネル１、上面グリル２、ユニット枠３、横風向板１１、ケーシング９等によってほぼ外形が構成されている。
【００１３】
室内ユニット２０の前面パネル１と上面グリル２の直ぐ内側にはプレフィルター４が設置されている。プレフィルター４はユニット枠３に取付けられており、スライドさせることでユニット枠３からの脱着が可能となっている。プレフィルター４の内側には空清フィルター５が設置されている。空清フィルター５は、室内ユニット２０の前面部に位置してユニット枠３に着脱可能に取付けられている。
【００１４】
室内ユニット２０の更に内側には、通風される室内空気と熱交換する熱交換器７が設置されている。熱交換器７は、パイプ７ａとフィン７ｂとで構成され、貫流ファン８を囲うように配置されており、室内ユニット上部側で一箇所、前面側で二箇所の合計三箇所で区切られている。貫流ファン８は、ケーシング９に挟まれるように配置され、室内空気の送風を行なう。貫流ファン８の回転軸の端部はモータに連結されている。
【００１５】
縦風向板１０はケーシング９に取付けられており、取付け部分を支点として回転するようになっている。冷媒用銅パイプ１６は断熱材に覆われており、ケーシング９近くの室内ユニット背面側に配管されている。電気部品ユニット１４は前面パネル１の背面側下部に配置され、前面パネル１を室内ユニット２０に覆い被せた際にＬＥＤが光って見えるようになっている。
【００１６】
次に、図３から図５を参照しながら説明する。図３は図１の室内ユニット２０に備えられている貫流ファン８の斜視図、図４は図３の貫流ファン８を構成しているファンブロック８ａの斜視図、図５は図２における貫流ファンの流跡線図である。
【００１７】
貫流ファン８は、ファン径に対してファン幅が大きいため、強度と製造の面からファンブロック８ａを軸方向に複数個連結されることで構成され、軸受が取付けられた端板とモータへ連結するボスが取付けられた端板とを両端に設置した構造となっている。一つのファンブロック８ａは、複数の羽根８ｂと、これらの羽根８ｂを立設している仕切板８ｃとから構成されている。仕切板８ｃにおいて、羽根８ａが取付けられている板面と反対側の板面は、ファンブロック８ａを連結するときに他のファンブロック８ａの羽根８ｂが嵌め込めるように羽根形状に合わせた複数の溝８ｈが設けられている。
【００１８】
運転状態において、貫流ファン８近辺の空気のフローパターンは、図５の流跡線に示すように、上流側から羽根８ｂの間を通過し、外径側から内径側へ向かう。貫流ファン８の内部に流れ込んできた空気は、内径側から外径側へ羽根８ｂの間を通過してケーシング９側へ流れていく。貫流ファン８のフローパターンは循環渦１２を形成している。
【００１９】
次に、図６を参照しながら説明する。図６は図４のファンブロック８ａを構成している羽根８ｂの斜視図である。
【００２０】
貫流ファン８の各羽根８ｂは、当該各羽根８ｂにおける圧力面６ａと負圧面６ｂとの圧力差に基づいて、当該各羽根８ｂの外径側の端部が負圧面側へ軸方向で異なる形状に変形するように構成されている。具体的には、貫流ファン８の各羽根８ｂは、羽根外径側が弾性率の低い領域となった低弾性率領域８ｄと、羽根内径側が弾性率の高い領域となった高弾性率領域８ｅとから構成されている。低弾性率領域８ｄと高弾性率領域８ｅとは、図６に示すように、波状の破線１８を境にして分かれている。
【００２１】
以上の構成による空気調和機の室内ユニット２０の機能及び動作について、主に冷房・暖房運転を行っている状態を想定して説明する。
【００２２】
前面パネル１の表示部の奥に位置する電気部品ユニット１４の電装部において、リモコンからの運転信号を受信することで空気調和機は運転を開始する。電装部の電光色は運転モードに合わせて変化し、前面パネル１の表示部から色彩を確認することで運転モードを判断することができる。
【００２３】
運転が開始されると、前面パネル１は下部が支点となって前方に傾き、室内ユニット２０の上部が開口する。横風向板１１は電気部品ユニット１４の制御装置の制御によって回転し、蓋をしていた室内ユニット２０の吹出口１７を開く。また、リモコンを操作することで、横風向板１１と縦風向板１０は、電気部品ユニット１４を介して制御され、室内ユニット２０の風向きを変化させることができる。室内ユニット２０が運転信号を受信すると室外ユニットも作動する。室外ユニットから送り込まれてきた冷媒は冷媒用銅パイプ１６を介して熱交換器７を循環する。
【００２４】
貫流ファン８が連結しているモータは、電気部品ユニット１４の制御により、運転状態に合わせて回転している。貫流ファン８は、図２における右回り方向に回転される。貫流ファン８が回転し始めると、室内空気は、主に前面パネル１の開口部と上面グリル２から吸い込まれ、プレフィルター４を通過して室内ユニット２０の内部に流れ込む。室内空気中の塵埃等は、プレフィルター４を通過する際に取り除かれる。プレフィルター４の更に内側に設置している空清フィルター５は、空気の清浄を行っている。
【００２５】
以上の過程を経て、室内空気は、熱交換器７へ流入して熱交換された後、貫流ファン８側へ流れていく。この熱交換された室内空気は、貫流ファン８を軸方向へ幾つかに仕切っている仕切板８ｃによって分流されてから貫流ファン８に吸込まれていく。貫流ファン８に吸込まれた室内空気は、羽根８ｂの間を通過し、外径側から内径側へ流れる。貫流ファン８の内部に流れ込んだ空気は、また羽根８ｂの間を通過して内径側から外径側へ向かい、ケーシング９側へ流れ出ていく。仕切板８ｃによって分流されていた空気は、ケーシング９側へ吹出してきたときに再び合流する。この室内空気は、ケーシング９の下流側に設けられた横風向板１１と縦風向板１０とにより風向きを制御され、室内ユニット２０の吹出口１７から吹出されていく。
【００２６】
かかる運転状態における貫流ファン８の各羽根８ｂは、図７及び図８に示すように、その形状が変化する。図７は図６の羽根８ｂの変形状態を示す斜視図、図８は図６の羽根８ｂの断面Ａにおける形状の変化を示す図である。
【００２７】
貫流ファン８が回転しているとき、各羽根８ｂの羽根面は、圧力が高くなる圧力面６ａと圧力が低くなる負圧面６ｂとを有する圧力分布となる。貫流ファン８の各羽根８ｂは、当該各羽根８ｂにおける圧力面６ａと負圧面６ｂとの圧力差に基づいて、当該各羽根８ｂの外径側の端部が負圧面側へ軸方向で異なる形状に変化する。即ち、羽根外径側の低弾性率領域８ｄは、図７の波状の破線１８を基部として、図７に示すように負圧面側へ軸方向で凹凸となる形状で、図８の矢印に示すように圧力面側に変形した形状となる。
【００２８】
本実施形態では、貫流ファン８の各羽根８ｂは、図５に示す室内空気の送風における循環渦１２の発生領域で、各羽根８ｂの外径側が負圧面側へ変形して凹凸形状となるように形成されている。貫流ファン８の各羽根８ｂがこの循環渦１２の領域を通過するときに羽根８ｂの外径側に大きな圧力が加わり、騒音源になっていると考えられるが、本実施形態によれば、その循環渦１２の発生領域で、その圧力差から羽根８ｂの外径側が局所的に変形し、羽根８ｂ間の流れが分散され騒音が低減される。その循環渦１２の発生領域の前後における圧力が比較的低い領域では、羽根８ｂの外径側の局所的な変形が抑制され、ファン効率の低下を抑制することができる。
【００２９】
また、本実施形態では、貫流ファン８の各羽根８ｂは、騒音が特に問題となってくる高風量で高回転数の運転領域で羽根形状の変形を大きくして騒音低減を図り、騒音が特に問題とならない低流量で回転数が低い運転領域で羽根形状の変形を小さくして効率の良い送風状態を保つようになっている。
【００３０】
以上説明したように、本実施形態によれば、ファン効率の低下の抑制と低騒音化を両立させるとともに、状況に応じて貫流ファン自らが形状を変化させて高性能な送風機能を備えた空気調和機を実現することができる。
（第２〜第６実施形態）
次に、本発明の第２〜第６実施形態について図９〜図１７を用いて説明する。この第２〜第６実施形態は、以下に述べる点で第１実施形態と相違し、その他の点については第１実施形態と基本的には同一であるので、重複する説明を省略する。
（第２実施形態）
本発明に係る第２実施形態の空気調和機を、図９〜図１１を用いて説明する。図９は第２実施形態における貫流ファン８のファンブロック８ａを構成している羽根８ｂの斜視図、図１０は図９の羽根８ｂの変形状態を示す斜視図、図１１は図９の羽根８ｂの断面Ｂにおける形状の変化を示す図である。
【００３１】
この第２実施形態では、貫流ファン８の各羽根８ｂは、羽根内径側が弾性率の低い領域となった低弾性率領域８ｆと、羽根外径側が弾性率の高い領域となった高弾性率領域８ｇとで構成されている。低弾性率領域８ｆと高弾性率領域８ｇは、図９に示すように、波状の破線１８を境にして分かれている。
【００３２】
貫流ファン８が回転しているとき、貫流ファン８の各羽根８ｂは、当該各羽根８ｂにおける圧力面６ａと負圧面６ｂとの圧力差に基づいて、当該各羽根８ｂの内径側の端部が負圧面側へ軸方向で異なる形状に変化する。即ち、羽根内径側の低弾性率領域８ｆは、図７の波状の破線１８を基部として、図１０に示すように負圧面側へ軸方向で凹凸となる形状で、図１１の矢印に示すように圧力面側に変形した形状となる。
【００３３】
この第２実施形態では、貫流ファン８の各羽根８ｂは、室内空気の送風における循環渦１２の発生領域で、各羽根８ｂの内径側が負圧面側へ変形して凹凸形状となるように形成されている。貫流ファン８の各羽根８ｂがこの循環渦１２の領域を通過するときに羽根８ｂの内径側に比較的大きな圧力が加わり、騒音源になっていると考えられるが、この第２実施形態によれば、その循環渦１２の発生領域で、その圧力差から羽根８ｂの内径側が局所的に変形し、羽根８ｂの羽根間の流れが分散され騒音が低減される。その循環渦１２の発生領域の前後における圧力が比較的低い領域では、羽根８ｂの外径側の局所的な変形が抑制され、ファン効率の低下を抑制することができる。
（第３実施形態）
本発明に係る第３実施形態の空気調和機を、図１２及び図１３を用いて説明する。図１２は第３実施形態における貫流ファン８のファンブロック８ａを構成している羽根８ｂの斜視図、図１３は図１２の羽根８ｂの変形状態を示す斜視図である。
【００３４】
この第３実施形態では、貫流ファン８の各羽根８ｂは、羽根外径側で部分的に弾性率の低い領域となった低弾性率領域８ｄと、この低弾性率領域８ｄを除く弾性率の高い領域となった高弾性率領域８ｅとで構成されている。低弾性率領域８ｄと高弾性率領域８ｅは、図１２に示すように部分的に破線１８Ａを境にして分かれている。
【００３５】
貫流ファン８が回転しているとき、貫流ファン８の各羽根８ｂは、当該各羽根８ｂにおける圧力面６ａと負圧面６ｂとの圧力差に基づいて、当該各羽根８ｂの外径側の端部が負圧面側へ軸方向で異なる形状に変化する。即ち、羽根外径側に部分的に設けられた低弾性率領域８ｄは、図１２の破線１８Ａを基部として、図１３に示すように負圧面側へ凸となる形状で変形する。
【００３６】
この第３実施形態によれば、循環渦１２の発生領域で、羽根外径側に部分的に設けられた低弾性率領域８ｄが圧力差により負圧面側へ凸となる形状で変形し、羽根８ｂの間の流れが分散され騒音が低減される。その循環渦１２の発生領域の前後における圧力が比較的低い領域では、低弾性率領域８ｄの変形が抑制され、ファン効率の低下を抑制することができる。
（第４実施形態）
本発明に係る第４実施形態の空気調和機を、図１４及び図１５を用いて説明する。図１４は第４実施形態における貫流ファン８のファンブロック８ａを構成している羽根８ｂの斜視図、図１５は図１４の羽根８ｂの変形状態を示す斜視図である。
【００３７】
この第４実施形態では、貫流ファン８の各羽根８ｂは、羽根内径側で部分的に弾性率の低い領域となった低弾性率領域８ｆと、この低弾性率領域８ｆを除く弾性率の高い領域となった高弾性率領域８ｇとで構成されている。低弾性率領域８ｆと高弾性率領域８ｇは、図１４に示すように部分的に破線１８Ａを境にして分かれている。
【００３８】
貫流ファン８が回転しているとき、貫流ファン８の各羽根８ｂは、当該各羽根８ｂにおける圧力面６ｃと負圧面６ｄとの圧力差に基づいて、当該各羽根８ｂの内径側の端部が負圧面側へ軸方向で異なる形状に変化する。即ち、羽根内径側に部分的に設けられた低弾性率領域８ｆは、図１４の破線１８Ａを基部として、図１５に示すように負圧面側へ凸となる形状で変形する。
【００３９】
この第４実施形態によれば、循環渦１２の発生領域で、羽根内径側に部分的に設けられた低弾性率領域８ｆが圧力差により負圧面側へ凸となる形状で変形し、羽根８ｂの間の流れが分散され騒音が低減される。その循環渦１２の発生領域の前後における圧力が比較的低い領域では、低弾性率領域８ｆの変形が抑制され、ファン効率の低下を抑制することができる。
（第５実施形態）
本発明に係る第５実施形態の空気調和機を、図１６を用いて説明する。図１６は本発明の第５実施形態における貫流ファン８のファンブロック８ａを構成している羽根８ｂの変形状態を示す断面図である。
【００４０】
この第５実施形態では、貫流ファン８の各羽根８ｂは、羽根外径側で部分的に厚みの薄い領域となった薄肉領域８ｄと、この薄肉領域８ｄを除く厚肉領域８ｅとで構成されている。薄肉領域８ｄと厚肉領域８ｅは、図１２に示す破線１８Ａと同様な境により分かれている。
【００４１】
貫流ファン８が回転しているとき、貫流ファン８の各羽根８ｂは、当該各羽根８ｂにおける圧力面６ａと負圧面６ｂとの圧力差に基づいて、当該各羽根８ｂの外径側の端部が負圧面側へ軸方向で異なる形状に変化する。即ち、羽根外径側に部分的に設けられた薄肉領域８ｄは、図１５に示すように負圧面側へ凸となる形状で変形する。
【００４２】
この第５実施形態によれば、循環渦１２の発生領域で、羽根外径側に部分的に設けられた薄肉領域８ｄが圧力差により負圧面側へ凸となる形状で変形し、羽根８ｂの間の流れが分散され騒音が低減される。その循環渦１２の発生領域の前後における圧力が比較的低い領域では、薄肉領域８ｄの変形が抑制され、ファン効率の低下を抑制することができる。
（第６実施形態）
本発明に係る第６実施形態の空気調和機を、図１７を用いて説明する。図１７は本発明の第６実施形態の貫流ファン８のファンブロック８ａを構成している羽根８ｂの変形状態を示す断面図である。
【００４３】
この第６実施形態では、貫流ファン８の各羽根８ｂは、羽根内径側で部分的に厚みの薄い領域となった薄肉領域８ｆと、この薄肉領域８ｆを除く厚肉領域８ｇとで構成されている。薄肉領域８ｆと厚肉領域８ｇは、図１５に示す破線１８Ａと同様な境により分かれている。
【００４４】
貫流ファン８が回転しているとき、貫流ファン８の各羽根８ｂは、当該各羽根８ｂにおける圧力面６ａと負圧面６ｂとの圧力差に基づいて、当該各羽根８ｂの内径側の端部が負圧面側へ軸方向で異なる形状に変化する。即ち、羽根内径側に部分的に設けられた薄肉領域８ｆは、図１５に示すように負圧面側へ凸となる形状で変形する。
【００４５】
この第６実施形態によれば、循環渦１２の発生領域で、羽根内径側に部分的に設けられた薄肉領域８ｆが圧力差により負圧面側へ凸となる形状で変形し、羽根８ｂの間の流れが分散され騒音が低減される。その循環渦１２の発生領域の前後における圧力が比較的低い領域では、薄肉領域８ｆの変形が抑制され、ファン効率の低下を抑制することができる。
【図面の簡単な説明】
【００４６】
【図１】本発明の第１実施形態の空気調和機の室内ユニットの概略構造を示す正面図である。
【図２】図１の室内ユニットを中央部で断面した側面図である。
【図３】図１の室内ユニットに備えられている貫流ファンの斜視図である。
【図４】図３の貫流ファンを構成しているファンブロックの斜視図である。
【図５】図２における貫流ファンの流跡線図である。
【図６】図４のファンブロックを構成している羽根の斜視図である。
【図７】図６の羽根の変形状態を示す斜視図である。
【図８】図６の羽根の断面Ａにおける形状の変化を示す図である。
【図９】本発明の第２実施形態における貫流ファンのファンブロックを構成している羽根の斜視図である。
【図１０】図９の羽根の変形状態を示す斜視図である。
【図１１】図９の羽根の断面Ｂにおける形状の変化を示す図である。
【図１２】本発明の第３実施形態における貫流ファンのファンブロックを構成している羽根の斜視図である。
【図１３】図１２の羽根の変形状態を示す斜視図である。
【図１４】本発明の第４実施形態における貫流ファンのファンブロックを構成している羽根の斜視図である。
【図１５】図１４の羽根の変形状態を示す斜視図である。
【図１６】本発明の第５実施形態における貫流ファンのファンブロックを構成している羽根の変形状態を示す断面図である。
【図１７】本発明の第６実施形態における貫流ファンのファンブロックを構成している羽根の変形状態を示す断面図である。
【符号の説明】
【００４７】
１…前面パネル、２…上面グリル、３…ユニット枠、４…プレフィルター、５…空清フィルター、６ａ、６ｃ…圧力面、６ｂ、６ｄ…負圧面、７…熱交換器、８…貫流ファン、８ａ…ファンブロック、８ｂ…羽根、８ｃ…貫流ファン仕切板、８ｄ、８ｆ…低弾性率領域、８ｅ、８ｇ…高弾性率領域、８ｈ…溝、９…ケーシング、１０…縦風向板、１１…横風向板、１２…循環渦、１４…電気部品ユニット、１６…冷媒用銅パイプ、１７…吹出口、１８…波状の破線、２０…室内ユニット。
【図１】
2008157568.tif 000003
【図２】
2008157568.tif 000004
【図３】
2008157568.tif 000005
【図４】
2008157568.tif 000006
【図５】
2008157568.tif 000007
【図６】
2008157568.tif 000008
【図７】
2008157568.tif 000009
【図８】
2008157568.tif 000010
【図９】
2008157568.tif 000011
【図１０】
2008157568.tif 000012
【図１１】
2008157568.tif 000013
【図１２】
2008157568.tif 000014
【図１３】
2008157568.tif 000015
【図１４】
2008157568.tif 000016
【図１５】
2008157568.tif 000017
【図１６】
2008157568.tif 000018
【図１７】
2008157568.tif 000019